【手続補正書】
【提出日】平成16年11月18日(2004.11.18)
【手続補正１】
【補正対象書類名】明細書
【補正対象項目名】特許請求の範囲
【補正方法】変更
【補正の内容】
【特許請求の範囲】
【請求項１】  受信信号の多重化インスタンス(multiple instance)を備えたデジタル化サンプルを受信して、格納する第１のバッファと、
前記第１のバッファに接続され、前記第１のバッファからのデジタル化サンプルの異なるセグメントを検索するデータプロセッサと、を備え、
前記各セグメントは、信号インスタンス（signal instance）の１つを有しており、
前記データプロセッサは、データプロセッサにプログラムされた逆拡散シーケンスの同一の一致するセグメントにより異なる時間で２つ以上の検索されたセグメントを処理して、相関サンプルを提供することを特徴とする無線通信システムにおける受信ユニット。
【請求項２】  請求項１に記載の受信ユニットにおいて、前記データプロセッサにタスクを送出して、前記データプロセッサからの信号データを処理するコントローラを更に具備することを特徴とする受信ユニット。
【請求項３】  請求項２に記載の受信ユニットにおいて、前記コントローラは、デジタル化サンプルの検索されたセグメントの処理を指示することを特徴とする受信ユニット。
【請求項４】  請求項２に記載の受信ユニットにおいて、前記コントローラは、処理されるそれぞれの信号インスタンス（signal instance）についてパイロット処理と時間追跡を実行することを特徴とする受信ユニット。
【請求項５】  請求項２に記載の受信ユニットにおいて、前記コントローラは、処理されるそれぞれの信号インスタンスのロック検出を実行することを特徴とする受信ユニット。
【請求項６】  請求項２に記載の受信ユニットにおいて、前記コントローラは、デジタル化サンプルの周波数追跡を実行することを特徴とする受信ユニット。
【請求項７】  請求項１に記載の受信ユニットにおいて、信号の多重化インスタンスを受信して、デジタル化サンプルを供給する受信機を更に具備することを特徴とする受信ユニット。
【請求項８】  請求項１に記載の受信ユニットにおいて、前記データプロセッサは、ＰＮ逆拡散（despreading）系列の一致するセグメントでデジタル化サンプルの検索されたセグメントを逆拡散して、相関サンプルを供給する相関器を含み、
前記相関サンプルは逆拡散系列の同一セグメントで処理された前記２以上のセグメントからの相関サンプルを含むことを特徴とする受信ユニット。
【請求項９】  請求項８に記載の受信ユニットにおいて、前記データプロセッサは、前記相関器に接続され、相関サンプルを受信し、処理して、処理されたシンボルを供給するシンボル復調・結合器を更に含むことを特徴とする受信ユニット。
【請求項１０】  請求項８に記載の受信ユニットにおいて、前記データプロセッサは、前記相関器に接続され、相関サンプルを受信し、処理して、相関サンプルを供給するアキュムレータを更に含むことを特徴とする受信ユニット。
【請求項１１】  請求項９に記載の受信ユニットにおいて、前記データプロセッサは、前記シンボル復調・結合器に接続され、処理されたシンボルを格納する第２のバッファを更に含むことを特徴とする受信ユニット。
【請求項１２】  請求項８に記載の受信ユニットにおいて、前記相関器は、Ｋ個の複合デジタル化サンプル（K complex digitized samples）までのセットを同時に逆拡散するＫ個の乗算器のセットを含むことを特徴とする受信ユニット。
【請求項１３】  請求項１２に記載の受信ユニットにおいて、前記相関器は、Ｋ個の乗算器のセットに接続されたＫ個の加算器のセットを含み、各加算器は２つの乗算器からのサンプルの対を受信し、加算することを特徴とする受信ユニット。
【請求項１４】  請求項８に記載の受信ユニットにおいて、前記相関器は、ＰＮ逆拡散からの逆拡散サンプルを受信し、補間して、相関サンプルとして供給される補間されたサンプルを発生する補間器を含むことを特徴とする受信ユニット。
【請求項１５】  特定のサンプルレートでデジタル化サンプルを受信して、格納する第１のバッファと、
前記第１のバッファに接続され、前記第１のバッファからのデジタル化サンプルセグメントを検索して、パラメータ値の特定のセットで検索されたセグメントを処理するデータプロセッサと、を備え、
前記データプロセッサは、サンプルレートよりも高い周波数を有する処理クロックに基づいて動作し、
前記データプロセッサは、ＰＮ逆拡散系列の一致するセグメントでデジタル化サンプルの検索されたセグメントを逆拡散する相関器を含み、
前記相関器は、逆拡散されたサンプルを受信し、補間して、相関サンプルとして供給された補間されたサンプルを発生する補間器を含み、
前記補間器は１対以上のスケーリング素子と１以上の加算器とを含み、
各スケーリング素子は、特定の利得を有するそれぞれの逆拡散サンプルを受信し、スケーリングして、スケーリングされたサンプルを発生し、
各加算器は、スケーリング素子のそれぞれの対に接続され、スケーリング素子の対からのスケーリングされたサンプルを受信し加算して補間されたサンプルを発生することを特徴とする受信ユニット。
【請求項１６】  請求項９に記載の受信ユニットにおいて、前記シンボル復調・結合器は、１つ以上のチャネル化コードを有する相関サンプルを受信しデカバーし、デカバー・シンボルを供給するデカバー素子を含むことを特徴とする受信ユニット。
【請求項１７】  請求項１６に記載の受信ユニットにおいて、前記チャネル化コードはプログラム可能でありパラメータ値のセットの１つによって定義される長さをそれぞれ有するウォルシュコードであることを特徴とする受信ユニット。
【請求項１８】  請求項１６に記載の受信ユニットにおいて、前記デカバー素子はＬ段階を有する高速アダマール変換（ＦＨＴ）素子で実現されることを特徴とする受信ユニット。
【請求項１９】  請求項１８に記載の受信ユニットにおいて、前記ＦＨＴ素子は、交番クロック周期上の同相かつ直交する相関サンプルを受信して、処理することを特徴とする受信ユニット。
【請求項２０】  請求項１８に記載の受信ユニットにおいて、前記ＦＨＴ素子は、１、２、４、８、１６、３２、６４、または１２８の長さの１つ以上のウォルシュシンボルでデカバーを行うことを特徴とする受信ユニット。
【請求項２１】  請求項１６に記載の受信ユニットにおいて、前記シンボル復調・結合器は、デカバー素子に接続され、パイロット・シンボルでデカバー・シンボルを復調して、復調シンボルを供給するパイロット復調器を更に含むことを特徴とする受信ユニット。
【請求項２２】  請求項２１に記載の受信ユニットにおいて、前記シンボル復調・結合器は、パイロット復調器に接続され、多重信号インスタンス（multiple signal instances）から復調シンボルを蓄積して処理されたシンボルを供給するシンボル・アキュムレータを更に含むことを特徴とする受信ユニット。
【請求項２３】  請求項１１に記載の受信ユニットにおいて、前記第２のバッファは、入力順番と異なる出力順番で処理されたシンボルを後段の信号処理素子に供給し、処理されたシンボルのデインターリーブを供給することを特徴とする受信ユニット。
【請求項２４】  請求項２３に記載の受信ユニットにおいて、前記第２のバッファは少なくとも２つのセクションを含み、１つのセクションは処理中の現在のパケットに対する処理されたシンボルを格納し、他のセクションは次の信号処理素子に供給される先の処理パケットに対して処理されたシンボルを格納することを特徴とする受信ユニット。
【請求項２５】  請求項１０に記載の受信ユニットにおいて、前記アキュムレータは、プログラム可能なタイム・インターバルにわたって相関サンプルを蓄積して、パイロット信号評価を供給することを特徴とする受信ユニット。
【請求項２６】  請求項１０に記載の受信ユニットにおいて、アキュムレータは複数の累積素子を含み、各累積素子は異なるタイムオフセットに対するパイロット信号評価を供給することを特徴とする受信ユニット。
【請求項２７】  請求項２に記載の受信ユニットにおいて、前記コントローラは、処理される各信号インスタンス用のタイミング状態マシンを例示する（instantiate）ことを特徴とする受信ユニット。
【請求項２８】  請求項２７に記載の受信ユニットにおいて、各例示されたタイミング状態マシンは処理される信号インスタンスの移動を追跡する時間追跡ループ（time tracking loop）を含むことを特徴とする受信ユニット。
【請求項２９】  請求項２に記載の受信ユニットにおいて、前記コントローラは、受信されたタイミング信号に応答して、タイミング信号を受信して、デジタル化サンプルのセグメントの処理を開始することを特徴とする受信ユニット。
【請求項３０】  請求項２９に記載の受信ユニットにおいて、タイミング信号はコントローラによって供給された比較値に基づいて発生することを特徴とする受信ユニット。
【請求項３１】  請求項２９に記載の受信ユニットにおいて、前記タイミング信号は、特定数のデジタル化サンプルが第１のバッファに格納されたことを示すものであることを特徴とする受信ユニット。
【請求項３２】  請求項２に記載の受信ユニットにおいて、デジタル化サンプルはサンプルレートでサンプリングされ、
前記データプロセッサは、サンプルレートよりも高い周波数を有する処理クロックで動作し、
前記サンプルレートは処理クロックと非同期であることを特徴とする受信ユニット。
【請求項３３】  請求項２に記載に記載の受信ユニットにおいて、コントローラに接続され、送出されたタスクを受け取って、１セットの制御信号を発生し、第１のバッファとデータプロセッサの動作を指示して、送出されたタスクを実行するマイクロコントローラを更に具備することを特徴とする受信ユニット。
【請求項３４】  請求項３３の受信ユニットにおいて、前記マイクロコントローラは、処理される各タスクのためにタスク状態マシンを例示することを特徴とする受信ユニット。
【請求項３５】  無線通信システムにおける受信システムにおいて、
特定のサンプルレートでデジタル化サンプルを受信して、格納する第１のバッファと、
前記第１のバッファに接続され、前記第１のバッファからのデジタル化サンプルセグメントを検索して、パラメータ値の特定のセットで検索された各セグメントを処理するデータプロセッサと、
前記データプロセッサに接続され、データプロセッサ用のタスクを送出し、データプロセッサからの信号データ(signaling data)を処理するコントローラと、
前記コントローラに接続され、送出されたデータを受信し、制御信号のセットを発生して、送出されたタスクを実行するように前記第１のバッファとデータプロセッサの動作を指示するマイクロコントローラと、を備え、
前記データプロセッサは、サンプルレートよりも高い周波数を有する処理クロックに基づいて動作し、
前記マイクロコントローラは、ラッチのセットと、少なくとも１つのカウンタと、シーケンスコントローラとを含み、
前記ラッチのセットは、送出されたタスクと送出されたタスクに適用される１つ以上のパラメータをラッチし、
前記各カウンタは、それぞれのラッチに接続されて、ラッチに格納された値に基づいてインディケータ信号を供給し、
前記シーケンスコントローラは、少なくとも１つのインディケータ信号と送出されたタスクとを受信して、制御信号のセットを発生することを特徴とする受信ユニット。
【請求項３６】  請求項１に記載の受信ユニットにおいて、第１のバッファに接続され、デジタル化サンプルを受け取って、不要なサンプルを捨てて、サンプルを効率的な格納に適したワードに組み立てるデータインターフェースを更に具備することを特徴とする受信ユニット。
【請求項３７】  請求項１に記載の受信ユニットにおいて、３２ビット以上のワードは、それぞれのバッファのアクセスに対して、第１のバッファに書き込まれているか、または第１のバッファから読み出されることを特徴とする受信ユニット。
【請求項３８】  請求項１に記載の受信ユニットにおいて、第１のバッファは、デジタル化サンプルの２つ以上のパケットを格納することを特徴とする受信ユニット。
【請求項３９】  請求項１に記載の受信ユニットにおいて、第１のバッファに受信され格納されたデジタル化サンプルはＰＮサンプルを具備することを特徴とする受信ユニット。
【請求項４０】  請求項１に記載の受信ユニットにおいて、デジタル化サンプルはサンプルレートでサンプリングされ、
前記データプロセッサは、サンプルレートよりも少なくとも１０倍高い周波数を有する処理クロックで動作することを特徴とする受信ユニット。
【請求項４１】  請求項１に記載の受信ユニットにおいて、前記受信ユニットは高データ信号速度（ＨＤＲ）ＣＤＭＡシステムであることを特徴とする受信ユニット。
【請求項４２】  伝送信号の多重化インスタンスを受信し、デジタル化サンプルを供給する受信機と、
受信機に接続され、デジタル化サンプルを受信し、格納する第１のバッファと、
第１のバッファに接続され、第１のバッファからデジタル化サンプルの異なるセグメントを検索するデータプロセッサと、を備え、
検索された各セグメントは信号インスタンスの１つを備え、
前記データプロセッサは、前記データプロセッサにプログラムされた逆拡散系列の同一の一致するセグメントにより異なる時間で２以上の検索されたセグメントを処理して、相関サンプルを供給することを特徴とする受信ユニット。
【請求項４３】  無線通信システムにおける受信信号の処理方法において、
伝送信号の多重化インスタンスを受信し、処理し、デジタル化して、特定のサンプルレートでデジタル化サンプルを供給することと、
第１のバッファ内のデジタル化サンプルをバッファリングすることと、
第１のバッファからデジタル化サンプルの異なるセグメントを検索することと、
逆拡散系列の同一の一致するセグメントでプログラムされたデータプロセッサにより異なる時間で２以上の検索されたセグメントを処理して、相関サンプルを供給することを具備し、  前記各検索されたセグメントは、信号インスタンスの１つを有することを特徴とする受信信号の処理方法。
【請求項４４】  請求項４３に記載の方法において、前記処理は、ＰＮ逆拡散系列の一致するセグメントでデジタル化サンプルの検索されたセグメントを逆拡散して、相関サンプルを供給することを含み、
前記相関サンプルは、逆拡散系列の同一サンプルで処理された２以上のサンプルからの相関サンプルを含むことを特徴とする受信信号の処理方法。
【請求項４５】  請求項４４に記載の方法において、前記処理は、１つ以上のチャネル化コードで相関サンプルをデカバーして、デカバー・シンボルを供給することを更に含むことを特徴とする受信信号の処理方法。
【請求項４６】  請求項４５に記載の方法において、前記処理は、パイロット・シンボルでデカバー・シンボルを復調して復調シンボルを供給することを更に含むことを特徴とする受信信号の処理方法。
【請求項４７】  請求項４６に記載の方法において、前記処理は、多重化信号インスタンスから復調シンボルを蓄積して処理されたシンボルを供給することを更に含むことを特徴とする受信信号の処理方法。
【請求項４８】  請求項４３に記載の方法において、
デジタルサンプルが、サンプルレートで受信され、処理され、デジタル化され、
信号インスタンスは、サンプルレートよりも高い周波数を有する処理クロックでデータプロセッサにより処理され、
前記サンプルレートは処理クロックと非同期であり、
前記方法は、デジタル化サンプルのチップレートを追跡することと、指定されたロケーションで起動する前記第１のバッファに、デジタル化サンプルを書きこむのに使用される信号を供給することを更に具備することを特徴とする受信信号の処理方法。
【請求項４９】  請求項４３に記載の方法において、前記信号インスタンスの処理は、
ＰＮ逆拡散系列の一致するセグメントでデジタル化サンプルのセグメントを逆拡散して。相関サンプルを供給することと、
前記相関サンプルを１以上のチャンネル化コードでデカバーして、デカバー・シンボルを供給することと、
パイロット信号で前記デカバー・シンボルを復調して復調シンボルを供給することと、
多重化信号インスタンスからの前記復調シンボルを累積して処理シンボルを供給することをさらに具備し、
前記相関サンプルは、逆拡散系列の同一のセグメントで処理された２以上のセグメントからの相関サンプルを含むことを特徴とする受信信号の処理方法。
【請求項５０】  請求項１に記載の受信ユニットにおいて、信号インスタンスの１つの動きを追跡する時間追跡ループを有し、前記時間追跡ループに応答して信号インスタンスの１つを含む前記第１のバッファ内のデジタル化サンプルを検索するのに使用されるタイムオフセットを発生するコントローラをさらに具備することを特徴とする受信ユニット。
【請求項５１】  請求項１に記載の受信ユニットにおいて、前記データプロセッサは、前記２以上のセグメントからの相関サンプルをコヒーレントに(coherently)結合して処理シンボルを発生することを特徴とする受信ユニット。
【請求項５２】  受信信号の多重化インスタンスを具備するデジタル化信号を受信し格納するバッファと、
信号インスタンスの１つの動きを追跡する時間追跡ループを有し、信号インスタンスの１つに対応するタイムオフセットを発生するコントローラと、
前記バッファに接続され、前記バッファからデジタル化サンプルのセグメントを検索するデータプロセッサと、を具備し、
前記デジタル化信号の特定のセグメントは、前記コントローラによって発生されたタイムオフセットによって決定される信号インスタンスの１つに対して検索されることを特徴とする受信ユニット。
【手続補正２】
【補正対象書類名】明細書
【補正対象項目名】０００９
【補正方法】変更
【補正の内容】
【０００９】
【課題を解決するための手段】
発明の一局面によれば、データプロセッサは計算上徹底的な動作の多くを実行するために提供され、コントローラは、受信信号を処理（例えば、復調）するのに必要な残りのタスクを実行するために提供される。この構成によって、コントローラが多くの信号インスタンスの処理を管理して、同時に多くのユーザをサポートすることができる。ある設計では、マイクロコントローラが、データプロセッサのマイクロマネジメント（micro-management）」を行い、データプロセッサの低レベルなシーケンスに関連する管理義務のいくつかを取り除くために、用意されていても良い。これらの様々な特徴によって、従来の設計にわたって向上した性能を有する簡易化された設計が可能になる。